(57)【要約】【課題】靴内部への効率的な拡散噴出を良好な操作性によって行うことができるエアゾール容器用噴射装置および靴用エアゾール製品を提供する。【解決手段】エアゾール容器用噴射装置１０は、噴射領域４０が靴４２を履いた状態の靴内側面４３と足側面４５との間に形成される微小隙間に適用できる。例えば、外出中に、靴を履いたまま靴内側面４３と足側面４５との微小隙間に先細状のノズル体２３の先端部分を押し込んで、ボタン部１４を操作することができる。これにより、靴内部全域に、例えば冷感成分や消臭成分等のエアゾール内容物を効率良く拡散噴射することができる。【選択図】図６
2012197118.tif 000002
【特許請求の範囲】
【請求項１】
エアゾール容器に嵌合装着されるキャップ本体部と、
該キャップ本体部と一体に形成され、前記エアゾール容器のステムに装着されるノズル装着部と、
該ノズル装着部を介して前記ステムを押下するボタン部と、
前記ノズル装着部の先端部に装着され、先端にノズル体を有するパイプ状の長尺ノズル部と、を備えた前記エアゾール容器内の内容物を噴射するエアゾール容器用噴射装置であって、
前記ノズル体は、先端面で開口する先細状のノズル本体と、該ノズル本体の先端面に挿着される噴口チップと、を有し、
前記ノズル本体の内周面と前記噴口チップの外周面とで複数の拡散噴口が形成され、
前記ノズル本体の先端が靴を履いた状態の足と該靴内面との間に形成される狭い噴射領域内に挿入され、前記ボタン部を押下することで内容物が拡散噴射されることを特徴とするエアゾール容器用噴射装置。
【請求項２】
前記噴射領域は、前記ノズル体の最大外径よりも狭い隙間であることを特徴とする請求項１記載のエアゾール容器用噴射装置。
【請求項３】
前記長尺ノズル部は、その基端部から折り曲げ可能であることを特徴とする請求項１又は２に記載のエアゾール容器用噴射装置。
【請求項４】
請求項１〜３のいずれか一項に記載のエアゾール容器用噴射装置が、内容物の充填されているエアゾール容器に嵌合装着されていることを特徴とする靴用エアゾール製品。
【請求項５】
前記内容物は、冷却組成物と噴射剤とが混合されており、
前記冷却組成物が、Ｌ-メントールと、乳酸メンチルを含んでいることを特徴とする請求項４に記載の靴用エアゾール製品。
【請求項６】
靴用エアゾール製品を用いる靴内の冷却及び／又は消臭方法であって、
前記靴用エアゾール製品は、冷感成分及び／又は消臭成分と噴射剤とを含有する内容物が充填されているエアゾール容器に、長尺ノズル部を備えたエアゾール容器用噴射装置が嵌合装着しているものであり、
前記長尺ノズル部の先端を、靴を履いた状態の足と該靴内面との間に挿入し、前記内容物を拡散噴射させることを特徴とする、靴内の冷却及び／又は消臭方法。
【発明の詳細な説明】
【技術分野】
【０００１】
本発明は、エアゾール容器内に収容されている内容物を、靴を脱がずに拡散噴出させるのに適したエアゾール容器用噴射装置、靴用エアゾール製品及び靴内の冷却及び／又は消臭方法に関する。
【背景技術】
【０００２】
従来から長時間靴を履くことによる不快感である靴ムレを解消するために、噴射物の気化熱により靴内の温度を低下させることを特徴とする靴ムレ改善スプレーが知られている（例えば、特許文献１）。
【先行技術文献】
【特許文献】
【０００３】
【特許文献１】特開２００３−１０６７２４号公報
【発明の概要】
【発明が解決しようとする課題】
【０００４】
しかしながら、上記特許文献１のスプレーは、靴を脱いで使用することが前提のため、例えば靴を履いた状態で使用する場合は、ノズル部材の先端部分を靴と足の隙間に近づけてボタン操作する必要があり、操作性が良くない。また、噴射物が靴内部全域に拡散しないため、効果も不十分である。更に、靴の表面にも噴射物が付着するため、シミや劣化などの問題も生じる。
【０００５】
本発明は、上記課題に鑑みてなされたものであり、靴を履いた状態でも靴内部全域への効率的な拡散噴出を良好な操作性によって行うことができるエアゾール容器用噴射装置、靴用エアゾール製品及び靴内の冷却及び／又は消臭方法を提供することを目的としている。
【課題を解決するための手段】
【０００６】
本発明に係る上記目的は、下記構成により達成される。
（１）エアゾール容器に嵌合装着されるキャップ本体部と、該キャップ本体部と一体に形成され、前記エアゾール容器のステムに装着されるノズル装着部と、該ノズル装着部を介して前記ステムを押下するボタン部と、前記ノズル装着部の先端部に装着され、先端にノズル体を有するパイプ状の長尺ノズル部と、を備えた前記エアゾール容器内の内容物を噴射するエアゾール容器用噴射装置であって、
前記ノズル体は、先端面で開口する先細状のノズル本体と、該ノズル本体の先端面に挿着される噴口チップと、を有し、前記ノズル本体の内周面と前記噴口チップの外周面とで複数の拡散噴口が形成され、前記ノズル本体の先端が靴を履いた状態の足と該靴内面との間に形成される狭い噴射領域内に挿入され、前記ボタン部を押下することで内容物が拡散噴射されることを特徴とするエアゾール容器用噴射装置。
【０００７】
前記構成のエアゾール容器用噴射装置によれば、ノズル体は、先端面で開口する先細状のノズル本体と、該ノズル本体の先端面に挿着される噴口チップとを有し、前記ノズル本体の内周面と前記噴口チップの外周面とで複数の拡散噴口が形成され、前記ノズル本体の先端が靴を履いた状態の足と該靴内面との間に形成される狭い噴射領域内に挿入され、前記ボタン部を押下することで内容物が拡散噴射されるので、靴内部への効率的な拡散噴射を良好な操作性によって容易に行うことができる。特に、外出中に、靴を脱がずに足側面と靴内側面との狭い隙間から先細状のノズル体の先端部分を挿入して、ボタン部操作することで、靴内部全域に、例えば冷感成分や消臭成分等のエアゾール内容物を効率良く拡散噴射することができる。
なお、ここで云う靴とは、ビジネスシューズ、カジュアルシューズ、各種運動用のシューズ、スニーカー、レインシューズ、ブーツ、パンプス等を含んでいる。
【０００８】
（２）上記（１）に記載のエアゾール容器用噴射装置であって、前記噴射領域は、前記ノズル体の最大外径よりも狭い隙間であることを特徴とする。
【０００９】
前記構成のエアゾール容器用噴射装置によれば、前記噴射領域が、前記ノズル体の最大外径よりも狭い隙間である場合、少なくとも先細状のノズル体の先端部分を隙間内に挿入することができれば、ボタン部操作により内容物を噴射領域内に効率良く拡散噴射することができる。
【００１０】
（３）上記（１）又は（２）に記載のエアゾール容器用噴射装置であって、前記長尺ノズル部は、その基端部から折り曲げ可能であることを特徴とする。
【００１１】
前記構成のエアゾール容器用噴射装置によれば、長尺ノズル部が、その基端部から折り曲げ可能であるので、非使用時はエアゾール容器の長手方向の表面に沿って折り畳んでおくことができる。また、使用時は長尺ノズル部の基端部を中心に回動させて、先端のノズル体を所望の方向に容易に引き出すことができる。
【００１２】
（４）上記（１）〜（３）のいずれか一項に記載のエアゾール容器用噴射装置が、内容物の充填されているエアゾール容器に嵌合装着されていることを特徴とする靴用エアゾール製品。
【００１３】
前記構成の靴用エアゾール製品によれば、ノズル本体の先端が靴を履いた状態の足と該靴内面との間に形成される狭い噴射領域内に挿入され、ボタン部を押下することでエアゾール容器に充填された内容物が拡散噴射される。これにより、外出中に、靴を脱がずに靴内部全域に、例えば冷感成分や消臭成分等のエアゾール内容物を効率良く拡散噴射することができる。
【００１４】
（５）上記（４）に記載の靴用エアゾール製品であって、前記内容物は、冷却組成物と噴
射剤とが混合されており、前記冷却組成物が、Ｌ-メントールと、乳酸メンチルを含んで
いることを特徴とする。
【００１５】
前記構成の靴用エアゾール製品によれば、冷却組成物が、初期冷感成分であるＬ-メントールと、冷感持続成分である乳酸メンチルを含んでいるので、冷感の速効性と持続性を確保することができる。
【００１６】
さらに、本発明は、上記課題を解決する下記方法をも提供する。
（６）靴用エアゾール製品を用いる靴内の冷却及び／又は消臭方法であって、
前記靴用エアゾール製品は、冷感成分及び／又は消臭成分と噴射剤とを含有する内容物が充填されているエアゾール容器に、長尺ノズル部を備えたエアゾール容器用噴射装置が嵌合装着しているものであり、
前記長尺ノズル部の先端を、靴を履いた状態の足と該靴内面との間に挿入し、前記内容物を拡散噴射させることを特徴とする、靴内の冷却及び／又は消臭方法。
【００１７】
本方法によれば、長尺ノズルの先端から内容物が、靴を履いた状態の足と該靴内面との間に形成される狭い領域内に拡散噴射されるため、靴内を効率的に冷却及び／又は消臭することができる。特に、外出中に靴を脱がずに、簡易な操作で冷感成分及び／又は消臭成分を靴内部全域に、拡散させることができる。
なお、ここで云う靴とは、ビジネスシューズ、カジュアルシューズ、各種運動用のシューズ、スニーカー、レインシューズ、ブーツ、パンプス等を含んでいる。
また、本方法には、本発明の靴用エアゾール製品を特に好ましく用いることができる。
【発明の効果】
【００１８】
本発明に係るエアゾール容器用噴射装置および靴用エアゾール製品によれば、先細状のノズル本体の先端を狭い噴射領域内に挿入してからボタン部を押下することで内容物を拡散噴射することができるので、靴内部への効率的な拡散噴出を良好な操作性によって容易に行うことができる。特に、外出中に、靴を脱がずに足側面と靴内側面との狭い隙間から先細状のノズル体の先端部分を挿入して、ボタン部操作することで、靴内部全域に、例えば冷感成分や消臭成分等のエアゾール内容物を効率良く拡散噴射することができる。
【図面の簡単な説明】
【００１９】
【図１】本発明に係るエアゾール容器用噴射装置の一実施形態を示す正面図である。
【図２】図１のＡ−Ａ線断面図である。
【図３】図２の使用状態を示す断面図である。
【図４】図３のノズル体の正面図である。
【図５】図４のノズル体の断面図であり、（ａ）はＢ−Ｂ線断面図、（ｂ）はＣ−Ｃ線断面図である。
【図６】本発明に係る靴用エアゾール製品の使用形態の一例を示す説明図である。
【発明を実施するための形態】
【００２０】
以下、本発明の一実施形態を図１〜図６に基づいて詳細に説明する。
図１に示すように、本実施形態によるエアゾール容器用噴射装置１０は、エアゾール容器１１の上部に嵌合装着されるキャップ本体部１２と、先端にノズル体２３を有するパイプ状の長尺ノズル部２０と、を備えている。
【００２１】
図２に示すように、エアゾール容器用噴射装置１０は、該キャップ本体部１２と一体に形成され、前記エアゾール容器１１のステム１５に装着されるノズル装着部１３と、該ノズル装着部１３を介して前記ステム１５を押下するボタン部１４と、を備えている。このノズル装着部１３の先端部にノズル基部１６が装着される。
エアゾール容器用噴射装置１０は、エアゾール容器１１のステム１５に挿着され、使用時にボタン部１４を押下することでエアゾール容器１１内の混合内容物である薬剤である原液と噴射剤である液化ガスとを噴霧状に噴射する。
【００２２】
ノズル基部１６は、ヒンジ結合により回動可能であり、一方向に貫通する第１ノズル部１７が形成されており、第１ノズル部１７と直交する別方向に第２ノズル部である長尺ノズル部２０が挿着されている。図中では、第１ノズル部１７が使用可能な状態にあり、長尺ノズル部２０はエアゾール容器１１の長手方向の表面に沿って折り畳まれており、非使用状態にある。
【００２３】
長尺ノズル部２０は、可撓性を有する長尺なパイプ部２２と、該パイプ部２２の先端に装着されたノズル体２３と、を備えている。このノズル体２３は、先端面で開口する先細状のノズル本体２４と、該ノズル本体２４の先端面に挿着される噴口チップ２５とから形成されている。
【００２４】
図３に示すように、エアゾール容器用噴射装置１０は、ノズル基部１６を９０度回動させて、長尺ノズル部２０を使用可能な状態にできる。
【００２５】
図４に示すように、ノズル体２３は、ノズル本体２４の先端面に噴口チップ２５が挿着されることで、複数（図中では４個）の拡散噴口２６が形成される。
【００２６】
図５（ａ）は、図４のＢ−Ｂ線断面図である。ノズル体２３は、ノズル本体２４の内周面２７と噴口チップ２５の外周面２８とで複数の拡散噴口２６が形成されている。ノズル本体２４の外周の前方部分は、最大外径Ｄ０から徐々に小径化した傾斜角θの先細状の傾斜面２９を有している。
【００２７】
図５（ｂ）は、図４の隣接する拡散噴口２６を隔てる境界部分のＣ−Ｃ線断面図である。例えば、軟質材からなる第１部材３１と第２部材３２との間に形成された噴射領域３０が最大外径Ｄ０より幅狭い隙間幅Ｄ１である場合、ノズル本体２４の先端部分が隙間幅Ｄ１より小さければ拡散噴口２６を噴射領域３０内に挿入することができる。
【００２８】
すなわち、ノズル本体２４の先端をこの噴射領域３０内に挿入して、さらに押し込むことで隙間幅Ｄ１を拡径することができる。これにより、長尺ノズル部２０の先端のノズル体２３全体を噴射領域３０内に配置することができ、ボタン部１４を押下することで内容物を噴射領域３０内で拡散噴射することができる。
【００２９】
次に、本実施形態の靴用エアゾール製品１を適用した場合を説明する。
図６に示すように、噴射領域４０は、靴下４１と靴４２を履いた状態の靴内側面４３と足側面４５との間に形成される微小な隙間である。
【００３０】
例えば、外出中に足のムレやニオイ等が気になる場合がある。このとき、靴用エアゾール製品１に装着されたエアゾール容器用噴射装置１０の長尺ノズル部２０を使用状態にする。そして、長尺ノズル部２０の先端のノズル体２３を、靴下４１を履いた足側面４５と靴４２の靴内側面４３との微小隙間である噴射領域４０内に押し込む。
【００３１】
この状態でエアゾール容器用噴射装置１０のボタン部１４を押下することで、例えば、冷感成分や消臭成分を靴４２の内部全体に拡散噴射することができる。これにより、使用者は、靴４２を脱がずに簡単に靴ムレ等を解消することができる。
【００３２】
なお、本実施形態の靴用エアゾール製品１は、浅いブーツ等にも適用することが可能で、長尺ノズル部２０のパイプ部２２の長さを適宜調整することにより、相当する深さの様々な用途の靴にも使用することができる。
【００３３】
また、脱いだ直後の靴や、暫く履いていない靴に対しても使用することができる。特に、夏季中の脱いだ直後の靴内の消臭や抗菌等の対策に使用することができる。このとき、靴用エアゾール製品１に装着されたエアゾール容器用噴射装置１０の長尺ノズル部２０を使用状態にする。そして、長尺ノズル部２０の先端のノズル体２３を靴４２内に挿入して、ボタン部１４を押下することで、靴４２内に内容物の消臭成分等を拡散噴射することができる。なお、この使用形態において、長尺ノズル部２０を靴用エアゾール製品１に沿って折り畳んでおき、第１ノズル部１７から消臭成分等を靴４２内に噴射させることも当然可能である。
【００３４】
本実施形態の靴用エアゾール製品１は、上記のように靴を脱がずに、あるいは脱いだ直後の靴や暫く履いていない靴に対して、種々の用途に適用することができる。例えば、前述した靴内の冷却や消臭のほか、靴内の温暖、芳香、制汗、保湿、除湿（乾燥）、粉塵除去、防水、殺菌、抗菌、除菌、防虫などの用途が挙げられる。また、靴を履いたままの足に対して、例えば、むくみ防止・解消、血行促進、水虫予防・治療、消炎鎮痛などの目的で用いることもできる。
これらの用途への適用に際しては、目的に合わせて靴用エアゾール製品１から拡散噴射する内容物に含有させる成分を適宜調製すればよい。
【００３５】
次に、本実施形態の靴用エアゾール製品１から拡散噴射する内容物について、冷却用を
一例に説明する。
内容物は、冷却組成物と噴射剤が混合されたものがエアゾール容器内に充填されている。冷却組成物を噴射剤に相溶させてエアゾールとすることで、拡散性が良くなり、より強い冷却感を得ることができる。
【００３６】
本実施形態の冷却組成物には、初期冷感成分としてＬ-メントール、冷感持続成分として乳酸メンチルを配合している。更に、用途に応じて、消臭成分、殺菌成分、抗菌成分、香料成分等も配合することができる。また、エタノールを基剤とすることで、拡散性および乾燥性が向上し、殺菌・抗菌効果も期待できる。
【００３７】
更に、上記成分以外にも、例えば、水、界面活性剤、ｐＨ調整剤、粘度調整剤、防腐剤、キレート剤、酸化防止剤、色素等も配合することができる。
【００３８】
本実施形態の噴射剤は、液化ガスを用いる。液化ガスを用いることで、気化熱による冷却効果を期待できる。液化ガスは、液化石油ガス、ジメチルエーテルなどが挙げられ、任意の製品内圧とすることが簡便な、液化石油ガスがより好ましい。
【００３９】
製品内圧は、効率的に拡散させるために、気温２５℃で、０．２〜０．６ＭＰａが好ましい。
噴射剤と冷却組成物の配合量は、噴射剤５．０〜９９．０質量％に対して、冷却組成物１．０〜９５．０質量％が好ましく、更には噴射剤７５．０〜９９．０質量％に対して、冷却組成物１．０〜２５．０質量％がより好ましい。
【００４０】
上述したように本実施形態のエアゾール容器用噴射装置１０によれば、ノズル体２３は、先端面で開口する先細状のノズル本体２４と、該ノズル本体２４の先端面に挿着される噴口チップ２５とを有し、前記ノズル本体２４の内周面２７と噴口チップ２５の外周面２８とで複数の拡散噴口２６が形成されている。そして、噴射領域４０が靴４２を履いた状態の靴内側面４３と足側面４５との間に形成される隙間であり、例えば外出中に、靴を脱がずに靴内側面４３と足側面４５との狭い隙間に先細状のノズル体２３の先端部分を押し込んで、ボタン部１４を操作することができる。これにより、靴内部への効率的な内容物の拡散噴射を良好な操作性によって容易に行うことができる。
【００４１】
また、例えば、ジョギングやサイクリングなど運動シューズを使用する場合では、靴内側面４３と足側面４５との間に形成される隙間が非常に狭くなるが、本実施形態のエアゾール容器用噴射装置１０によれば、少なくとも先細状のノズル体２３の先端部分を隙間内に挿入することができる。これにより、ボタン部１４操作により内容物を効率良く拡散噴射することができる。
【００４２】
また、本実施形態のエアゾール容器用噴射装置１０によれば、長尺ノズル部２０が、その基端部から折り曲げ可能であるので、非使用時はエアゾール容器１１の長手方向の表面に沿って折り畳んでおくことができる。また、使用時は長尺ノズル部２０の基端部を中心に回動させて、先端のノズル体２３を所望の方向に容易に引き出すことができる。
【００４３】
本実施形態の靴用エアゾール製品１によれば、前述したエアゾール容器用噴射装置１０が、内容物の充填されているエアゾール容器１１に嵌合装着されているので、外出中に、靴を脱がずに靴内部全域に、例えば冷感成分や消臭成分等のエアゾール内容物を効率良く拡散噴射することができる。
【００４４】
また、本実施形態の靴用エアゾール製品によれば、前記内容物は、冷却組成物と噴射剤とが混合されており、冷却組成物には、初期冷感成分であるＬ-メントールと、冷感持続成分である乳酸メンチルを含んでいる。これにより、冷感の速効性と持続性を確保することができる。
【００４５】
さらに、本発明の方法の一実施形態として、本発明の靴用エアゾール製品を用いた場合について、図６を参照して説明する。
まず、本発明の方法に用いるのは、内容物の充填されているエアゾール容器１１に、長尺ノズル部２０を備えたエアゾール容器用噴射装置１０が嵌合装着している態様の靴用エアゾール製品である。ここで、該内容物は、冷感成分及び／又は消臭成分と噴射剤とを含有している。本発明の方法では、長尺ノズル部２０の先端にあるノズル体２３の先端部分を、靴を脱がずに靴内側面４３と足側面４５との狭い隙間に挿入し、ボタン部１４を操作して、前記内容物を拡散噴射させることにより、靴内の冷却及び／消臭を達成する。
本方法によれば、外出中等において靴を脱がずに、冷感成分及び／又は消臭成分を靴内部全域に簡易な操作で拡散させることができ、効率的に靴内を冷却及び／又は消臭することができる。
【００４６】
なお、本発明のエアゾール容器用噴射装置および靴用エアゾール製品は、上述した実施形態に限定されるものではなく、適宜、変形、改良等が自在である。その他、上述した実施形態における各構成要素の材質、形状、寸法、数値、形態、数、配置場所等は本発明を達成できるものであれば任意であり、限定されない。
【符号の説明】
【００４７】
１…靴用エアゾール製品、１０…エアゾール容器用噴射装置、１１…エアゾール容器、１２…キャップ本体部、１３…ノズル装着部、１４…ボタン部、１５…ステム、１６…ノズル基部、１７…第１ノズル部、２０…長尺ノズル部（第２ノズル部）、２２…パイプ部、２３…ノズル体、２４…ノズル本体、２５…噴口チップ、２６…拡散噴口、２９…傾斜面、３０，４０…噴射領域、４２…靴、４３…靴内側面、４５…足側面、Ｄ０…最大外径、Ｄ１…隙間幅、θ…傾斜角
【図１】
2012197118.tif 000003
【図２】
2012197118.tif 000004
【図３】
2012197118.tif 000005
【図４】
2012197118.tif 000006
【図５】
2012197118.tif 000007
【図６】
2012197118.tif 000008